(57)【特許請求の範囲】
【請求項１】
第１くわえ胴と第２くわえ胴とを、互いに周面を対接させて配列した折機の平行折装置において、前記第１くわえ胴にベルトを掛けまわし、該ベルトが第１くわえ胴から第２くわえ胴へくわえ替えするときに折丁先端を第１くわえ胴から第２くわえ胴へ案内する案内位置と第１くわえ胴と第２くわえ胴で折るときに第２くわえ胴から退避する退避位置とに切換可能に設けたことを特徴とする折機の平行折装置。
【請求項２】
前記ベルトは、前記案内位置において第１くわえ胴に保持された折丁先端を第２くわえ胴へ案内することを特徴とする請求項１記載の折機の平行折装置。
【請求項３】
前記ベルトは、前記案内位置において第１くわえ胴のくわえ板とくわえ顎に挾まれて保持された折丁先端を真っ直ぐにして第２くわえ胴へ案内することを特徴とする請求項１記載の折機の平行折装置。
【請求項４】
前記ベルトが掛けまわされ、前記第２くわえ胴に対し接離する方向に移動可能に支持されたローラを備え、前記ローラが前記第２くわえ胴に近接することで前記ベルトが前記案内位置に位置付けられ、前記ローラが前記第２くわえ胴から離反することで前記ベルトが前記退避位置に位置付けられることを特徴とする請求項１記載の折機の平行折装置。
【請求項５】
前記ローラは前記第２くわえ胴の最も近くに配設されたローラであることを特徴とする請求項４記載の折機の平行折装置。
【請求項６】
前記案内位置は、前記第２くわえ胴に受け渡した後の折丁を前記第２くわえ胴に押し付ける位置であることを特徴とする請求項１記載の折機の平行折装置。
【発明の詳細な説明】
【０００１】
【発明の属する技術分野】
本発明は、特に平行一回折りの折丁の第１，第２くわえ胴間の受け渡しが円滑に行える折機の平行折装置に関する。
【０００２】
【従来の技術】
巻紙輪転印刷機には、印刷後に乾燥、冷却されたウェブを所定の長さ毎に断裁したり、これを幅方向や長さ方向に折ったりする折機が備えられている。
【０００３】
この折機には、種々の構造のものがあるが、例えば図３及び図４に示すような平行折装置を備えたものがある（実公平７−４３０９７号公報等参照）。
【０００４】
これによれば、互いに対接して図の矢印方向に回転する断裁胴１，折胴２及び第１くわえ胴３の他に第２くわえ胴４を有し、ニップローラ５→横ミシン胴６→ニップローラ７と送られてきたウェブ８は断裁胴１の断裁刃（図示せず）で所定の寸法に断裁されて折丁９となる。この折丁９が折胴２の一回折ナイフ（図示せず）と第１くわえ胴３のくわえ板１０及びくわえ顎１１との間で平行折りされ、平行一回折りの場合は、このまま第２くわえ胴４の爪１２及び爪台１３によりチョッパー１４側に搬送され（図４の（ａ）参照）、平行二回折りあるいはデルタ折りの場合は、第１くわえ胴３の二回折ナイフ（図示せず）と第２くわえ胴４のくわえ板１５及びくわえ顎１６との間でさらに平行折りされて平行二回折りとなりチョッパー１４側に搬送されるようになっている（図４の（ｂ）参照）。
【０００５】
尚、図中１７ａ〜１７ｃは、第１，第２くわえ胴３，４間の折丁９の受け渡しの際における折丁搬送保持用のブラシである。
【０００６】
【発明が解決しようとする課題】
ところが、上述したような平行折装置にあっては、平行一回折りの折丁９を第１くわえ胴３から第２くわえ胴４に受け渡す際、図３に示すように、第１くわえ胴３のくわえ板１０及びくわえ顎１１にくわえられた折丁９のくわえ代分だけ曲げられた折丁先端を第２くわえ胴４の爪１２で起こしてからくわえるため、折丁先端にくせのある紙質では、折丁先端のヤブレ及び曲がり，折丁全体の曲がり及びタイミングずれ等が生じて安定した受け渡しができない。さらに、次工程でのチョッパ折りの際に、前記のような問題のある折丁９は悪影響を及ぼし、チョッパ折り精度を悪くするという問題点があった。
【０００７】
また、図４の（ｂ）に示すように、平行二回折りやデルタ折りができる構成になっているため、図４の（ａ）に示すように、平行一回折りの折丁９を受け渡す際には、空間Ａの存在により、第１くわえ胴３側に折丁９を持っていかれる現象が生じ、図５に示すように、中折れ（図５の（ａ）の場合）や角折れ（図５の（ｂ）の場合），紙尻の切れ（図５の（ｃ）の場合）等の折障害が発生するという問題点もあった。
【０００８】
本発明はこのような問題を解決するものであって、平行二回折りやデルタ折りが可能であると共に、紙質に左右されずに平行一回折りの折丁の第１，第２くわえ胴間の受け渡しが円滑かつ確実に行える折機の平行折装置を提供することを目的とする。
【０００９】
【課題を解決するための手段】
上述の目的を達成するための本発明に係る折機の平行折装置は、第１くわえ胴と第２くわえ胴とを、互いに周面を対接させて配列した折機の平行折装置において、前記第１くわえ胴にベルトを掛けまわし、該ベルトが第１くわえ胴から第２くわえ胴へくわえ替えするときに折丁先端を第１くわえ胴から第２くわえ胴へ案内する案内位置と第１くわえ胴と第２くわえ胴で折るときに第２くわえ胴から退避する退避位置とに切換可能に設けたことを特徴とする。
また、前記ベルトは、前記案内位置において第１くわえ胴に保持された折丁先端を第２くわえ胴へ案内することを特徴とする。
また、前記ベルトは、前記案内位置において第１くわえ胴のくわえ板とくわえ顎に挾まれて保持された折丁先端を真っ直ぐにして第２くわえ胴へ案内することを特徴とする。
また、前記ベルトが掛けまわされ、前記第２くわえ胴に対し接離する方向に移動可能に支持されたローラを備え、前記ローラが前記第２くわえ胴に近接することで前記ベルトが前記案内位置に位置付けられ、前記ローラが前記第２くわえ胴から離反することで前記ベルトが前記退避位置に位置付けられることを特徴とする。
また、前記ローラは前記第２くわえ胴の最も近くに配設されたローラであることを特徴とする。
また、前記案内位置は、前記第２くわえ胴に受け渡した後の折丁を前記第２くわえ胴に押し付ける位置であることを特徴とする。
【００１０】
前記構成によれば、第２くわえ胴の存在により平行二回折りやデルタ折りが可能であると共に、ベルトの案内により紙質に左右されずに平行一回折りの折丁の第１，第２くわえ胴間の受け渡しが円滑かつ確実に行える。
【００１１】
【発明の実施の形態】
以下、本発明に係る折機の平行折装置を実施例により図面を用いて詳細に説明する。
【００１２】
［実施例］
図１は本発明の一実施例を示す折機の平行折装置の側面図、図２は同じく第１，第２くわえ胴間の受け渡し動作の説明図である。尚、これらの図において、図３及び図４と同一部材には同一符号を付して詳しい説明は省略する。
【００１３】
図示のように、ニップローラ５→横ミシン胴６→ニップローラ７と送られてきたウェブ８は断裁胴１の断裁刃（図示せず）で所定の寸法に断裁されて折丁９となり、この折丁９が折胴２の一回折ナイフ（図示せず）と第１くわえ胴３のくわえ板１０及びくわえ顎１１との間で平行折りされ、平行一回折りの場合は、このまま第２くわえ胴４の爪１２及び爪台１３によりチョッパー１４側に搬送され、平行二回折りあるいはデルタ折りの場合は、第１くわえ胴３の二回折ナイフ（図示せず）と第２くわえ胴４のくわえ板１５（図４の（ｂ）参照）及びくわえ顎１６（図４の（ｂ）参照）との間で平行二回折りされてチョッパー１４側に搬送されるようになっている。
【００１４】
そして、左右一対の折機フレームの内側には、前記第１くわえ胴３の下方に位置して４本のローラ２０ａ〜２０ｄが回転自在にかつ同第１くわえ胴３と平行に横架され、これらのローラ２０ａ〜２０ｄと前記第１くわえ胴３間にベルト２１が掛けまわされている。
【００１５】
前記ベルト２１は、第１くわえ胴３の略上半周を添設するように複数条張架され、これらの各ベルト２１は第１くわえ胴３の周面との摩擦力により第１くわえ胴３の回転とともに走行するようになっている。
【００１６】
尚、前記第１くわえ胴３の周面には、複数条の環状溝（図示せず）がくわえ板１０及びくわえ顎１１と胴軸方向へ位相を違えて設けられており、これらの各環状溝内に前記ベルト２１がそれぞれ添設されて張架されており、このベルト２１の外周面と胴周面とが同一周面となるように前記環状溝の深さが設定されている。
【００１７】
そして、前記第２くわえ胴４にもっとも近いローラ２０ｄが、その両軸端を支持する図示しない軸受部材がリニヤガイド上に搭載される等して、第２くわえ胴４に対し接離する方向に移動可能に構成され、これにより前記ベルト２１がテンションを変化させずに平行一回折り時には第１くわえ胴３から第２くわえ胴４へくわえ替えするときに折丁先端を第１くわえ胴３から第２くわえ胴４へ案内する案内位置（図１中実線の位置）へと、また平行二回折りやデルタ折り時には第１くわえ胴３と第２くわえ胴４で平行折りするときに第２くわえ胴４から退避する退避位置（図１中鎖線の位置）へと切り換え可能になっている。
【００１８】
このように構成されるため、平行一回折り時には、ベルト２１はローラ２０ｄの移動により図１の実線の位置に切り換えられる。
【００１９】
この際の第１，第２くわえ胴３，４間における折丁９の受け渡しタイミングを図２に基づいて説明すると、先ず図２の（ａ）に示すように、折丁９はその先端がくわえ板１０とくわえ顎１１に挟まれて第１くわえ胴３で搬送される。
【００２０】
次に、図２の（ｂ）に示すタイミングからくわえ板１０は折丁９の先端を放し始める。このタイミングと同時又は多少の前後のタイミングからベルト２１が折丁９の先端に接触し、折丁９のくわえ代を起こす（折丁先端を真っ直ぐにする）。
【００２１】
次に、ベルト２１は折丁先端を誘導しながら、図２の（ｃ）に示すように、折丁先端を第２くわえ胴４に押し付け、やがて折丁先端が第２くわえ胴４の爪１２と爪台１３に挟まれて第１，第２くわえ胴３，４間における折丁９の受け渡しが完了する（図２の（ｄ）参照）。
【００２２】
受け渡し完了後も、ベルト２１は折丁９を第２くわえ胴４に押し付けることになる。尚、この際、図４の（ａ）で示したブラシ１７ａ及び１７ｂは、折丁９を案内する必要がないため、図示の位置から適宜の手段で後退させるようにしてもよい。
【００２３】
一方、平行二回折りやデルタ折り時には、ベルト２１はローラ２０ｄの移動により図１の鎖線の位置に切り換えられ、第１，第２くわえ胴３，４間において図４の（ｂ）に示すような平行二回折りやデルタ折りが行われる。
【００２４】
このようにして本実施例では、折丁９の先端がベルト２１によって完全に誘導されるため、▲１▼紙質に左右されずに折丁９の先端が確実に第２くわえ胴４に接触する、▲２▼紙質に左右されずに第１くわえ胴３にくわえられた折丁９の先端が確実に起こされる、▲３▼第１，第２くわえ胴３，４間での紙詰まりが解消される、等の効果が得られる。
【００２５】
また、折丁９の先端を第２くわえ胴４に受け渡した後、折丁９をベルト２１で第２くわえ胴４に押し付けているため、紙尻のアバレが無く、折障害（中折れ、角折れ、紙尻の切れ等）が解消される。
【００２６】
また、本発明は上記実施例に限定されず、本発明の要旨を逸脱しない範囲で各種変更が可能であることはいうまでもない。
【００２７】
【発明の効果】
以上、実施例を挙げて詳細に説明したように本発明に係る折機の平行折り装置によれば、第１くわえ胴と第２くわえ胴とを、互いに周面を対接させて配列した折機の平行折装置において、前記第１くわえ胴の一部周面にベルトを掛けまわし、該ベルトが第１くわえ胴から第２くわえ胴へくわえ替えするときに折丁先端を第１くわえ胴から第２くわえ胴へ案内する案内位置と第１くわえ胴と第２くわえ胴で折るときに第２くわえ胴から退避する退避位置とに切換可能に設けたので、平行二回折りやデルタ折りが可能であると共に、紙質に左右されずに平行一回折りの折丁の第１，第２くわえ胴間の受け渡しが円滑かつ確実に行える。
【図面の簡単な説明】
【図１】本発明の一実施例を示す折機の平行折装置の側面図である。
【図２】同じく第１，第２くわえ胴間の受け渡し動作の説明図である。
【図３】従来例に係る折機の平行折装置の側面図である。
【図４】同じく第１，第２くわえ胴間の受け渡し動作の説明図である。
【図５】各種折障害の説明図である。
【符号の説明】
１  断裁胴
２  折胴
３  第１くわえ胴
４  第２くわえ胴
５  ニップローラ
６  横ミシン胴
７  ニップローラ
８  ウェブ
９  折丁
１０  くわえ板
１１  くわえ顎
１２  爪
１３  爪台
１４  チョッパー
１５  くわえ板
１６  くわえ顎
１７ａ〜１７ｃ  ブラシ
２０ａ〜２０ｄ  ローラ
２１  ベルト
【図１】
0004073556.tif 000002
【図２】
0004073556.tif 000003
【図３】
0004073556.tif 000004
【図４】
0004073556.tif 000005
【図５】
0004073556.tif 000006